(57)【要約】【課題】熱源機と接続する温水配管の誤接続を判定する機能において、誤接続判定の必要有無を記憶することにより、判定が必要な場合には確実に判定を実施し、判定が不要な場合は余分な判定を行わない浴室換気乾燥機を提供する。【解決手段】記憶部１４に誤接続判定の必要有無を状態パラメータ１６として記憶し、誤接続判定部１３は状態パラメータ１６の値によって誤接続判定の実施有無を決定することにより、適切なタイミングで誤接続の判定を行う浴室換気乾燥機を得られる。【選択図】図３
2018141588.tif 000002
【特許請求の範囲】
【請求項１】
送風部と、表示部と、送風する空気を熱源機から温水配管を介して供給される温水との熱交換によって加熱する加熱部と、前記熱源機から流入する温水の温度を検知する温水温度検知部と、前記送風部と前記表示部と前記加熱部の動作を制御する制御部とを備えた浴室暖房乾燥機であって、
前記制御部は、前記熱源機と接続する前記温水配管の流入側と流出側との誤接続を判定する誤接続判定部と、記憶部とを備え、
前記記憶部には、前記誤接続判定部の判定結果であり、誤接続判定の必要有無情報を保持する状態パラメータを記憶し、
状態パラメータが誤接続判定必要な状態で、かつ、前記温水温度検知部の検知温度が所定の温度以上となった場合に前記誤接続判定部による判定を行う浴室暖房乾燥機。
【請求項２】
前記記憶部は、不揮発性の記憶媒体とする、請求項１に記載の浴室暖房乾燥機。
【請求項３】
前記表示部は、前記浴室暖房乾燥機の操作をするリモコンに備え、前記制御部は、前記誤接続判定部の判定結果を表示部に表示させる、請求項１に記載の浴室暖房乾燥機。
【発明の詳細な説明】
【技術分野】
【０００１】
本発明は、浴室の暖房や乾燥に使用される浴室暖房乾燥機に関するものである。
【背景技術】
【０００２】
従来、この種の浴室暖房乾燥機は、浴室内の空気を循環させる送風部と、送風する空気を熱源機から温水配管を介して供給される温水との熱交換によって加熱する加熱部と、前記熱源機から流入する温水の温度を検知する温水温度検知部とを備え、前記温水温度検知部で検知した温度の、前記加熱部で熱交換を開始する前後での温度変化によって、前記温水配管の流入側と流出側の誤接続を検知するものが知られている。（例えば、特許文献１参照）。
【先行技術文献】
【特許文献】
【０００３】
【特許文献１】特開２０１１−１０６７３５号公報
【発明の概要】
【発明が解決しようとする課題】
【０００４】
このような、熱源機と接続する温水配管の流入側、流出側の誤接続を判定する機能を有する浴室暖房装置において、配管工事終了後の試運転時に誤接続を判定するものが知られている。しかし、この構成では、試運転を実施しなかった場合には温水配管の誤接続の判定は行われない。また、試運転時に必ず誤接続の判定をする場合、温水配管の接続は正しいが、その他の構成に不具合があり、再度試運転を実施する必要があった場合でも、本来は不要な誤接続の判定を再度行うこととなる。
【０００５】
よって、本発明は、温水配管の誤接続判定の実施忘れや不要な誤接続判定の実施を防ぐことができ、適切なタイミングで誤接続の判定ができる浴室暖房乾燥機を提供することを目的とする。
【課題を解決するための手段】
【０００６】
そして、この目的を達成するために、本発明に係る浴室暖房乾燥機は、送風部と、表示部と、送風する空気を熱源機から温水配管を介して供給される温水との熱交換によって加熱する加熱部と、前記熱源機から流入する温水の温度を検知する温水温度検知部と、前記送風部と前記表示部と前記加熱部の動作を制御する制御部とを備えた浴室暖房乾燥機であって、
前記制御部は、前記熱源機と接続する前記温水配管の流入側と流出側との誤接続を判定する誤接続判定部と、記憶部とを備え、
前記記憶部には、前記誤接続判定部の判定結果であり、誤接続判定の必要有無情報を保持する状態パラメータを記憶し、
状態パラメータが誤接続判定必要な状態で、かつ、前記温水温度検知部の検知温度が所定の温度以上となった場合に前記誤接続判定部による判定を行うものであり、これにより所期の目的を達成するものである。
【発明の効果】
【０００７】
本発明に係る浴室換気乾燥機によれば、温水配管の誤接続判定の実施忘れや不要な誤接続判定の実施を防ぐことができ、適切なタイミングで誤接続の判定ができるという効果を得ることができる。
【図面の簡単な説明】
【０００８】
【図１】本発明の実施の形態１に係る浴室暖房乾燥機が設置された浴室の斜視図
【図２】同浴室暖房乾燥機の内部を示す構成図
【図３】同浴室暖房乾燥機の構成を示すブロック図
【図４】同浴室換気乾燥機の動作を示すフローチャート
【図５】同浴室換気乾燥機の動作を示すフローチャート
【発明を実施するための形態】
【０００９】
本発明に係る浴室暖房乾燥機は、送風部と、表示部と、送風する空気を熱源機から温水配管を介して供給される温水との熱交換によって加熱する加熱部と、前記熱源機から流入する温水の温度を検知する温水温度検知部と、前記送風部と前記表示部と前記加熱部の動作を制御する制御部とを備えた浴室暖房乾燥機であって、
前記制御部は、前記熱源機と接続する前記温水配管の流入側と流出側との誤接続を判定する誤接続判定部と、記憶部とを備え、
前記記憶部には、前記誤接続判定部の判定結果であり、誤接続判定の必要有無情報を保持する状態パラメータを記憶し、
状態パラメータが誤接続判定必要な状態で、かつ、前記温水温度検知部の検知温度が所定の温度以上となった場合に前記誤接続判定部による判定を行う、
という構成を有する。
【００１０】
これにより、制御部の構成要素として、記憶部に記憶した状態パラメータを有し、誤接続判定部は、状態パラメータが誤接続判定必要な状態で、かつ、温水温度検知部の検知温度が所定の温度以上となった場合に誤接続判定を行うことにより、誤接続判定の実施忘れや不要な誤接続判定の実施を防ぐことができ、適切なタイミングで誤接続の判定ができるという効果を得られる。
【００１１】
また、前記記憶部は、不揮発性の記憶媒体としてもよい。
【００１２】
これにより、記憶部は不揮発性記憶領域、すなわち、電源を切断しても記憶した状態パラメータを保持する構成であり、誤接続判定部は、状態パラメータが誤接続判定必要な状態で、かつ、温水温度検知部の検知温度が所定の温度を超えた場合に誤接続判定を行うことにより、誤接続判定後に電源が切断されるような条件下においても、適切なタイミングで誤接続の判定ができるという効果を得られる。
【００１３】
また、前記表示部は、前記浴室暖房乾燥機の操作をするリモコンに備え、前記制御部は、前記誤接続判定部の判定結果を表示部に表示させる構成にしてもよい。
【００１４】
これにより、誤接続判定部の判定結果を表示する表示部として、既存の構成に含まれるリモコンを用い、表示指示部は、判定結果を表示部に表示させることにより、判定結果の表示部として新たな構成要素を追加する必要がなく、また、リモコンの表示の違いにより、容易に判定結果を確認することができ、施工者は配管の誤接続に気付きやすいという効果を得られる。
【００１５】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００１６】
（実施の形態１）
図１は、浴室暖房乾燥機が設置された浴室の斜視図であり、図２は、浴室暖房乾燥機の内部を示す構成図である。
【００１７】
図１に示すように、浴室暖房乾燥機本体１は、浴室２の天井面に設置される。また、図２に示すように、浴室暖房乾燥機本体１は、往路温水配管３ａと復路温水配管３ｂを介して熱源機４と接続される。熱源機４からは、往路温水配管３ａを通じて温水が供給され、復路温水配管３ｂを通じて熱源機４へ温水が戻される。浴室暖房乾燥機本体１は、温水温度検知部５と、送風部６と、風路変更部７と、加熱部８とを備えている。また、図２の矢印は風の流れる方向を示している。温水温度検知部５は、温度センサであり、熱源機４から往路温水配管３ａを通じて供給される温水の温度、すなわち加熱部８へ流入する温水の温度を検知する。送風部６は、モータによって駆動するファンであり、浴室２内の空気を循環送風する循環ファン６ａと、浴室２内の空気を浴室２外へ排出する換気ファン６ｂとの２種類のファンからなる。風路変更部７はダンパであり、ダンパを開くことによって浴室２内の空気と換気ファン６ｂとをつなぐ風路が開放される。この状態で換気ファン６ｂを駆動することにより、浴室２内の空気を外部へ排出する。加熱部８は、熱動弁９と、温水コイル１０とからなる。熱源機４から供給される温水は、熱動弁９を開くことにより、温水コイル１０内に供給され、熱動弁９を閉じることにより、温水コイル１０内へ供給されなくなる。浴室２内の空気を暖める場合は、熱動弁９を開き、温水コイル１０内に温水が供給されている状態で、循環ファン６ａによって浴室２内の空気を循環させる。これにより、温水コイル１０の温水と空気との間で熱交換が行われ、加熱された空気が浴室２内に送り込まれる。このとき、風路変更部７を開き、換気ファン６ｂを駆動させると、加熱された空気の一部は風路変更部７を通じて外部へ排出される。温水コイル１０内の温水は、復路温水配管３ｂを通って熱源機４へと戻る。
【００１８】
次に、図３を用いて制御部１１の動作について説明する。図３は、浴室暖房乾燥機の構成を示すブロック図である。
【００１９】
図３に示すように、浴室暖房乾燥機本体１は、制御部１１の指示によって送風部６と加熱部８の動作を制御する。加熱部８の加熱を開始する場合は、制御部１１が熱動弁９を開くよう指示することにより、温水が供給され、浴室２内の空気の加熱が可能となる。また、制御部１１は、リモコン１２との通信により、リモコン１２からの運転指示によって浴室暖房乾燥機本体１の運転の開始や停止といった運転状態の変更や、リモコン１２の表示について指示を行う。さらに、制御部１１は、熱源機４との通信により、運転状態に基づく熱源機４への温水の要求や、熱源機４の指示による浴室暖房乾燥機本体１の運転状態の変更等を行う。
【００２０】
このような浴室暖房乾燥機において、施工時に誤って、往路温水配管３ａを浴室暖房乾燥機の温水流出側へ、復路温水配管３ｂを浴室暖房乾燥機の温水流入側へ、それぞれ接続した場合に、誤接続を検出し、施工者に報知する機能を備えたものが知られている。これは、温水配管の流入側と流出側とを誤って接続した場合、暖房能力の低下が発生するため、施工者に誤接続を知らせ、是正を促すための機能である。
【００２１】
従来、このような機能は、配管工事終了後の試運転時に誤接続を判定するものが知られている。しかし、そのような構成では、施工者が試運転を実施しなかった場合には誤接続の判定が行われない。また、試運転では、通信やファンの動作等も含めて機器の動作を確認するため、配管の接続以外の構成に不具合があり、再度試運転が必要となる場合がある。その場合、試運転時に必ず誤接続の判定をする構成では、本来は不要な誤接続の判定を再度行うこととなる。
【００２２】
そこで、本実施の形態１においては、浴室暖房乾燥機本体１は、誤接続判定を行った際に判定結果を記憶し、誤接続判定が必要な状態で、かつ、誤接続判定可能な状態となった場合に、誤接続判定を行う。つまり、誤接続判定が必要という情報が記憶されている状態で、電源投入後、初めて温水が供給されている状態となった場合に、誤接続判定を行う構成とする。
【００２３】
以下、誤接続判定の処理について説明する。
【００２４】
図３において、制御部１１は、誤接続判定部１３と、記憶部１４とを備えている。誤接続判定部１３は、温水温度検知部５の検知温度変化によって、温水配管の流入側である往路温水配管３ａと流出側である復路温水配管３ｂとの誤接続を判定する。温水温度検知部５は、既存の構成において、浴室暖房乾燥機本体１の保護や異常検知などの目的で往路温水配管３ａに温度センサが設けられている場合は、その温度センサを利用することができる。記憶部１４は、電源を切っても記憶した内容が消えない不揮発性の記憶領域であり、ＥＥＰＲＯＭやマイコン内蔵の不揮発性メモリなどである。記憶部１４は、記憶内容の一つとして、誤接続判定部１３の判定結果を記憶する状態パラメータ１６を持つ。状態パラメータ１６は、誤接続判定が必要な状態かどうかを判断するための記憶値である。例えば、１つの数値ごとに対応する状態を割り当て、０：「未判定」、１：「誤接続」、２：「正常接続」の３種類の数値や、０：「誤接続判定必要」、１：「誤接続判定不要」の２種類の数値などで表現することができる。誤接続判定部１３は、状態パラメータ１６の記憶値が、誤接続判定必要な状態、すなわち、前述の例では、「未判定」または、「誤接続」または、「誤接続判定必要」の場合には誤接続判定を行い、その他の場合には誤接続判定を行わないものとする。また、誤接続判定部１３の判定結果は、表示部１５に表示される。表示部１５は、浴室暖房乾燥機本体１の運転を操作するリモコン１２を用いることで、既存の構成から構成要素を追加することなく、施工者に分かりやすく判定結果を報知することができる。
【００２５】
以下、誤接続判定を実施する際の処理の流れの詳細について、図４、図５を用いて説明する。図４、図５は、浴室換気乾燥機の誤接続判定制御の動作を示すフローチャートである。また、ここでは、状態パラメータ１６の記憶値として、０：「誤接続判定必要」、１：「誤接続判定不要」の２種類の数値で表現する場合の例を示す。
【００２６】
浴室暖房乾燥機本体１に電源が投入されると、制御部１１は、温水温度検知部５の検知温度の取得を開始する。図４のアルゴリズムＡに示すように、誤接続判定部１３では、記憶部１４から状態パラメータ１６の値を読み出す。状態パラメータ１６の値が誤接続判定必要な状態、すなわち、「誤接続判定必要」を意味する「０」が記憶されている場合は、以下の誤接続判定の処理を実施する。誤接続判定が不要な状態、すなわち、「誤接続判定不要」を意味する「１」が記憶されている場合は誤接続判定の制御を解除し、以下の処理は行わない。浴室暖房乾燥機本体１の出荷時には、状態パラメータ１６は「誤接続判定必要」を意味する「０」が記憶されている。そのため、施工後初めて浴室暖房乾燥機本体１に電源を投入した際は、必ず誤接続判定必要と判断されることとなる。
【００２７】
誤接続判定が必要な状態であった場合、誤接続判定部１３では、図４のアルゴリズムＢ１に示すように、温水温度検知部５の検知温度が所定の値Ｔａ以上になるまで待機する。所定の値Ｔａは、熱源機４から温水が供給されていないときの温度より高い値であり、熱源機４から温水が供給されたことを判別可能な最低限の温度である。また、ここでの待機中は通常時と同様、リモコン１２や熱源機４による運転、または試運転の指示を受け付けられる状態となる。ここで、リモコン１２または熱源機４からの指示により、温風を必要とする運転（例えば暖房運転）が開始された場合、制御部１１の指示で熱動弁９を開くことにより、往路温水配管３ａを通じて熱源機４から浴室暖房乾燥機本体１内に温水が供給されることとなる。このとき、温水温度検知部５の検知温度は、温水の供給が継続すると、ある時点で所定の値Ｔａ以上となる。これにより、アルゴリズムＢ１の最初の条件を満たすため、通常の暖房運転の制御は一旦停止し、誤接続判定を優先して行う。誤接続判定の手順として、最初に送風部６における送風を停止し、温水温度検知部５の検知温度が十分上昇する時間待機する。ここで、熱交換開始前温度Ｔ１として、温水と空気の間で熱交換が行われていない状態における温水温度検知部５の検知温度を取得する。その後、送風部６において、循環ファン６ａ、換気ファン６ｂの一方または両方による送風を開始し、一定時間待機する。ここで、熱交換開始後温度Ｔ２として、温水と空気の間で熱交換が行われている状態における温水温度検知部５の検知温度を取得する。この際、往路温水配管３ａと復路温水配管３ｂが、それぞれ浴室暖房乾燥機本体１の流入側、流出側に正しく接続されていた場合、温水温度検知部５は、熱交換前の温水である往路温水配管３ａ側の温度を検知することになる。そのため、検知温度は送風部６による送風の開始前後で大きく変化することはない。しかし、往路温水配管３ａと復路温水配管３ｂが、逆に接続されていた場合、温水温度検知部５は復路温水配管３ｂ側の温度を検知することになる。そのため、送風部６による送風を開始し、温水と空気の間で熱交換が行われると、温水温度検知部５は、熱交換後の温度が下がった温水の温度を検知することとなる。これにより、熱交換開始前温度Ｔ１と熱交換開始後温度Ｔ２の温度差が、誤接続時の温度変化の基準値である所定の閾値Ｔｈ１より小さければ誤接続なしと判定し、所定の閾値Ｔｈ１以上であれば誤接続と判定する。つまり、Ｔ１−Ｔ２＜Ｔｈ１であれば、接続が正しいと判定し、Ｔ１−Ｔ２≧Ｔｈ１であれば、誤接続と判定する。ここで判定した結果は、状態パラメータ１６の記憶値として上書きされる。すなわち、接続が正しいと判定された場合は、状態パラメータ１６に「誤接続判定不要」を意味する「１」を書き込み、誤接続と判定された場合は、「誤接続判定必要」を意味する「０」を書き込む。
【００２８】
誤接続判定部１３の判定結果は、制御部１１により、リモコン１２に伝えられる。リモコン１２は、表示部１５に判定結果を表示する。例えば、通常運転時に７セグメントＬＣＤを用いて運転残時間の表示をしているリモコンでは、７セグメントＬＣＤを用いて数字やアルファベットのエラーコードを表示することで、誤接続と判定されたことを報知できる。このように、リモコン１２を用いて判定結果を表示することにより、新たに判定結果を表示させる表示部１５を設けることなく、配管の誤接続を施工者に気付かせやすくすることができる。また、誤接続判定中も、判定のための特殊な運転状態であることを報知するため、通常運転時とは異なる表示とすることが望ましい。接続が正しいと判定された場合は、通常時の表示に戻すか、もしくは接続が正常であることを明示的に表現する表示としてもよい。
【００２９】
状態パラメータ１６を記憶している記憶部１４は、不揮発性メモリであるため、一旦、浴室暖房乾燥機本体１の電源を遮断した場合でも、記憶内容が保持される。これを利用し、誤接続と判定された場合は、浴室暖房乾燥機本体１の電源を遮断しない限り、誤接続を報知する表示を継続し、運転できないようにすることで、施工者に誤接続の是正を促すことができる。誤接続と判断された場合、施工者は電源を遮断して温水配管の接続を修正した後、再度電源を投入する。このとき、誤接続判定部１３では、前述のアルゴリズムＡで誤接続判定が必要と判断するため、再度誤接続判定を行うこととなる。一度、接続が正しいと判定され、状態パラメータ１６に「誤接続判定不要」を意味する「１」が書き込まれた場合は、それ以降、電源の遮断、電源再投入をしても、誤接続判定をすることはない。
【００３０】
このようにして、誤接続判定不要な場合には誤接続判定を行わず、誤接続判定が必要な場合には、確実に誤接続判定を行うことができるため、誤接続判定の実施忘れや、不要な誤接続判定の実施を防ぐことができ、適切なタイミングで誤接続の判定ができる。
【００３１】
次に、図５を用いて、誤接続判定の別の処理の例を示す。図５は、図４における、アルゴリズムＢ１の部分をアルゴリズムＢ２に置き換えたものである。
【００３２】
図５において、アルゴリズムＡの部分と、アルゴリズムＢ２の温水温度検知部５の検知温度が所定の値Ｔａ以上となるのを待機する部分までは、図４と同様の流れである。アルゴリズムＢ２では、温水温度検知部５の検知温度が所定の値Ｔａ以上となった際、送風部６による送風が行われていた場合は送風を継続し、送風が行われていなかった場合は送風を開始する。ここで、温水温度が上昇するのに十分な時間待機した後、熱交換開始後温度Ｔ３として、温水と空気の間で熱交換が行われている状態における温水温度検知部５の検知温度を取得する。この際、アルゴリズムＢ１の場合と同様の原理で、往路温水配管３ａと復路温水配管３ｂが正しく接続されていた場合は、温水と空気の間で熱交換が行われているかどうかに関わらず、温水温度検知部５の検知温度は熱源機４から供給された往路温水配管３ａ側の温水の温度を検知することになる。そのため、時間の経過とともに温水温度検知部５の検知温度は、誤接続時の最高検知温度より高い所定の閾値Ｔｈ２を超える。一方、誤って接続されていた場合は、温水温度検知部５は熱交換後の温度が下がった温水の温度である復路温水配管３ｂ側の温度を検知することになるため、所定の時間経過後も所定の閾値Ｔｈ２を超えない。これにより、熱交換開始後温度Ｔ３が所定の閾値Ｔｈ２より大きい場合に接続が正しいと判断する。つまり、Ｔ３＞Ｔｈ２の場合は接続が正しいと判定し、Ｔ３≦Ｔｈ２の場合は誤接続と判定する。判定結果の状態パラメータ１６への書き込み、判定結果の表示については、アルゴリズムＢ１で説明したものと同様である。
【００３３】
以上のようにして、図５の処理においても、誤接続判定不要な場合には誤接続判定を行わず、誤接続判定が必要な場合には、確実に誤接続判定を行うことができる。
【産業上の利用可能性】
【００３４】
本発明にかかる浴室暖房乾燥機は、熱源機と接続する温水配管の誤接続を判定する機能において、誤接続判定不要な場合には誤接続判定を行わず、誤接続判定が必要な場合にのみ、誤接続判定を行うものであり、温水との熱交換によって空気を加熱する浴室暖房乾燥機等として有用である。
【符号の説明】
【００３５】
１    浴室暖房乾燥機本体
２    浴室
３ａ    往路温水配管
３ｂ    復路温水配管
４    熱源機
５    温水温度検知部
６    送風部
６ａ    循環ファン
６ｂ    換気ファン
７    風路変更部
８    加熱部
９    熱動弁
１０    温水コイル
１１    制御部
１２    リモコン
１３    誤接続判定部
１４    記憶部
１５    表示部
１６    状態パラメータ
【図１】
2018141588.tif 000003
【図２】
2018141588.tif 000004
【図３】
2018141588.tif 000005
【図４】
2018141588.tif 000006
【図５】
2018141588.tif 000007